(57)【要約】【課題】球が特定の入口に入ると入賞口を開き、その後に球が特定の入口に入ると入賞口を閉じる動作を行わせることができる時限出力機構を提供する。【解決手段】中空ケース１０に形成された水平軸３２に軸支された円形のガイドギア３０と、常時はガイドギアの回転を停止させているストッパ１５と、ガイドギアと同軸に軸支され常時は上方の初期位置にある動作レバー３１と、動作レバーとガイドギアとの間に設けられた脱進機構４１と、ストッパ１５を解除するリセットレバー２３とを備える。動作レバー３１は動作球入口１７から入った球の重みにより、脱進機構４１を動作させながら低速で下降する。リセットレバー２３はリセット球入口２０から入った球の重みによりストッパ１５を解除し、ガイドギア３０を回転させることにより動作レバー３１を初期位置まで上昇させる。【選択図】図１
2020174925.tif 000002
【特許請求の範囲】
【請求項１】
球の重量による動作レバーの動きを外部に出力する時限出力機構であって、
中空ケースに形成された水平軸に軸支された円形のガイドギアと、常時はガイドギアと噛み合いその回転を停止させているストッパと、ガイドギアと同軸に軸支され常時は先端が上方の初期位置にある動作レバーと、動作レバーとガイドギアとの間に設けられた脱進機構と、ストッパを解除するリセットレバーとを備え、
動作レバーは中空ケースの動作球入口から入った球の重みにより、脱進機構を動作させながら下方に回転し、球が排出されると脱進機構を動作させながら初期位置に復帰するものであり、
リセットレバーは中空ケースのリセット球入口から入った球の重みによりストッパを解除し、ガイドギアを回転させることにより動作レバーを初期位置に瞬時に復帰させるものであることを特徴とする時限出力機構。
【請求項２】
動作レバーの水平軸を挟んで遊星ギアの反対側に、ガイドギアの内歯と噛み合う脱進機構を設けた請求項１に記載の時限出力機構。
【請求項３】
動作レバーは、脱進機構が設けられている側とは反対側に、ガイドギアと噛み合う遊星ギアを備えたものである請求項２に記載の時限出力機構。
【請求項４】
リセットレバーは球の重みにより回転するリセットカムを備え、ストッパはリセットカムにより押し上げられるロッドを備えたものである請求項１に記載の時限出力機構。
【発明の詳細な説明】
【技術分野】
【０００１】
本発明は、パチンコ機などの遊技球を用いた遊技台に組み込まれる球の重量を利用した時限出力機構に関するものである。
【背景技術】
【０００２】
パチンコ機などの遊技台においては、チューリップと呼ばれる入賞口を設け、遊技者の興趣を高めることが行われている。このために古くから、球が入るとチューリップが開き、次の球が入ると閉じる機構が用いられてきた。この機構は球の重量を利用した開閉機構であり、電気系統の配線や電力が不要である利点がある。
【０００３】
しかしこの開閉動作は単純であるから、アームの先端の受け皿部に球が乗るとその重量によりアームが下方に回転しながらチューリップを開き、アームの受け皿から球が落下するとバネの力によりチューリップを閉じる開閉機構（特許文献１）が提案されている。この開閉機構はアームの受け皿から球が落下するまでの間、チューリップを開く機能を備えた時限装置といえるが、球の重量によるアームの回転速度は一定であるから、閉じるまでの時間も常に一定であり、やはり面白みに欠けるものであった。
【先行技術文献】
【特許文献】
【０００４】
【特許文献１】特許第２８１１３９４号公報
【発明の概要】
【発明が解決しようとする課題】
【０００５】
従って本発明の目的は上記した従来の問題点を解決し、球が特定の入口に入ると入賞口を開き、その後に球が特定の入口に入ると入賞口を閉じる動作を行わせることができる時限出力機構を提供することである。
【課題を解決するための手段】
【０００６】
上記の課題を解決するためになされた本発明は、球の重量による動作レバーの動きを外部に出力する時限出力機構であって、中空ケースに形成された水平軸に軸支された円形のガイドギアと、常時はガイドギアの回転を停止させているストッパと、ガイドギアと同軸に軸支され常時は先端が上方の初期位置にある動作レバーと、動作レバーとガイドギアとの間に設けられた脱進機構と、ストッパを解除するリセットレバーとを備え、動作レバーは中空ケースの動作球入口から入った球の重みにより、脱進機構を動作させながら下方に回転するものであり、リセットレバーは中空ケースのリセット球入口から入った球の重みによりストッパを解除し、ガイドギアを回転させることにより動作レバーを初期位置まで復帰させるものであることを特徴とするものである。
【０００７】
なお、動作レバーはその先端に、ガイドギアと噛み合う遊星ギアを備えたものとすることができる。また、動作レバーの水平軸を挟んで遊星ギアの反対側に、ガイドギアの内歯と噛み合う脱進機構を設けた構造とすることができる。さらに、リセットレバーは球の重みにより回転するリセットカムを備え、ストッパはリセットカムにより押し上げられるロッドを備えたものとすることができる。
【発明の効果】
【０００８】
本発明の時限出力機構は、中空ケースの動作球入口に球が入るとその重量により動作レバーを下方に回転させるが、その下降速度は脱進機構により低速に制御されている。また動作レバーは球が排出されると上方に復帰するが、その上昇速度も脱進機構により低速に制御されている。しかし、中空ケースのリセット球入口から球が入るとリセットレバーの働きにより動作レバーを初期位置まで瞬時に上昇させることができる。このため、動作レバーの下降中は入賞口を開くようにしておけば、入賞口を一定時間開かせることができるが、その途中でリセット球入口から球が入ると、入賞口を瞬時に閉じるようにすることができる。このため入賞口が閉じるまでの時間がランダムとなり、遊技者の興趣を高めることができる。しかもこれらの動作は球の重量によって行われ、センサを必要としない利点がある。
【図面の簡単な説明】
【０００９】
【図１】実施形態の装置の外観斜視図である。
【図２】実施形態の装置の背面側からの外観斜視図である。
【図３】分解斜視図である。
【図４】裏面側から見た分解斜視図である。
【図５】前面板の背面からの斜視図である。
【図６】前部ケースの背面からの斜視図である。
【図７】脱進機構を示す正面図である。
【図８】初期状態を示す正面図（上）と背面図（下）である。
【図９】動作レバーが下降した状態を示す正面図と背面図である。
【図１０】リセット球入口に球が入った状態を示す正面図と背面図である。
【図１１】ストッパが解除された状態を示す正面図と背面図である。
【図１２】初期状態に復帰した様子を示す正面図と背面図である。
【図１３】使用状態の説明図である。
【発明を実施するための形態】
【００１０】
以下に図面を参照しつつ、本発明の実施形態を説明する。
図１は実施形態の装置の外観斜視図、図２は背面側からの外観斜視図、図３は分解斜視図、図４は裏面側から見た分解斜視図である。
【００１１】
これらの図において、１０は円形の中空ケースであり、前部ケース１１と、後部ケース１２と、前部ケース１１の前面に位置する前面板１３とからなる。前部ケース１１の頂部（時計の１２時の位置）には開口１４が形成されており、ストッパ１５のロッド１６が貫通している。ストッパ１５については後述する。また前部ケース１１の１１時の位置には、動作球入口１７が形成されている。また前部ケース１１の８時の位置には、動作球出口１８が形成されている。
【００１２】
図４、図５に示されるように、前面板１３の裏面には前部ケース１１内に突出する円弧状の突壁１９が形成されており、動作球入口１７から入った球の移動経路を１１時から８時の間に限定し、必ず動作球出口１８から排出される構造としている。同様に、後部ケース１２には１１時の位置にリセット球入口２０が形成されており、９時の位置にリセット球出口２１が形成されている。後部ケース１２に形成された円弧状の突壁２２により、リセット球入口２０から入った球の移動経路を１１時から９時の間に限定し、必ず動作球出口２１から排出される構造としている。
【００１３】
前部ケース１１と後部ケース１２との間には、図５に示すリセットレバー２３が設けられているが、これについてはストッパ１５とともに後述する。
【００１４】
図１に示すように、前面板１３の前面側には、円形のガイドギア３０と動作レバー３１とが設けられている。これらは何れも中空ケース１０の中心に形成された水平軸３２に回転可能に軸支されている。ガイドギア３０は外歯３３と内歯３４と３本の腕３５を備え、３本の腕３５の中心に水平軸３２の先端が固定されている。ガイドギア３０は水平軸３２を中心として何れの方向にも自由に回転することができるものである。
【００１５】
図７に示すように、動作レバー３１は一方の先端に遊星ギア３６を備えている。この遊星ギア３６はガイドギア３０の外歯３３と常に噛み合っている。また動作レバー３１は図４に示すように前面板１３側に突片３７を備えており、前面板１３にはこの突片３７を貫通させる円弧溝３８が、１１時の位置から８時の位置まで形成されている。このため動作レバー３１はこの区間のみ回転することができる。この突片３７は動作球入口１７から入った球の受板として機能するものであり、１１時の位置で球が乗ると球の重量により動作レバー３１を８時の位置まで回転させることができる。
【００１６】
図７に示すように、動作レバー３１の他方の端部に形成された扇状部３９には、錘４０と脱進機構４１が設けられている。錘４０は、球が突片３７に乗っていない状態では動作レバー３１の遊星ギア３６が１１時の位置に戻るようにする機能を持つ。
【００１７】
脱進機構４１は、扇状部３９の左右に軸支された一対の小歯車４２と、アンクル４３と、がんぎ車４４とにより構成される機構である。この脱進機構自体は古くから時計に組み込まれている周知の機構である。一対の小歯車４２はガイドギア３０の内歯３４と常に噛み合っている。また図１に示されるように、がんぎ車４４と一体に中心ギア４５が形成されており、一対の小歯車４２がこの中心ギア４５と常に噛み合っている。
【００１８】
このため、ガイドギア３０がストッパ１５により回転を阻止された状態、すなわちガイドギア３０が固定された状態で動作レバー３１が１１時の位置から８時の位置まで回転する間、一対の小歯車４２が中心ギア４５を動作レバー３１の回転と同一方向に回転させ、がんぎ車４４も同時に回転させる。しかし中心ギア４５及びがんぎ車４４の回転数は動作レバー３１の回転数よりも大きくなるよう、各歯車の歯数を設定しておく。脱進機構４１はアンクル４３の両側の爪４６を交互にがんぎ車４４に係合・離脱させる機構であり、これによって動作レバー３１の回転速度が制限される。
【００１９】
図５、図６に示すように、ストッパ１５はロッド１６の上端に歯５０を備えたもので、この歯５０をガイドギア３０の外歯３３と噛み合わせ、常時はガイドギア３０の回転を阻止している。しかしロッド１６の下端がリセットレバー２３のカム５１により押し上げられると歯５０が外れ、ガイドギア３０は自由に回転できるようになる。
【００２０】
このリセットレバー２３は図５に示すように水平軸３２に軸支されており、一方の端部には前記したリセット球入口２０から入った球の受け部５２を備えている。また反対側には復帰用の錘部５３が形成されている。このためリセット球入口２０から入った球が受け部５２に乗るとその重量によってリセットレバー２３は回転し、リセットレバー２３と一体に形成されたカム５１がストッパ１５を押し上げることができる。
【００２１】
次に、図８〜図１２を参照しつつ、この時限出力機構の動作を説明する。これらの図の上段は正面図、下段は後部ケース１２を取り除いた背面図である。
図８は初期状態であり、ストッパ１５がガイドギア３０の外歯３３と噛み合い、ガイドギア３０の回転を阻止している。この初期状態では動作レバー３１は１１時の初期位置にある。図８の下段にこの初期状態において球が動作球入口１７に入ろうとしている状態を示した。
【００２２】
球が動作球入口１７に入ると、その球の重量によって動作レバー３１は１１時の初期位置から図９に示す８時の位置に向かって下方に回転し始める。前記したように、この間は脱進機構４１により動作レバー３１の回転速度が制限されるので、動作レバー３１は低速で下向きに回転する。この動作レバー３１の動きを例えば図１３に示すように入賞口６０に出力するようにしておけば、動作レバー３１が初期位置から回転するに連れて入賞口６０を開かせることができる。動作レバー３１が図９の位置まで下降し、球が動作球出口１８から排出されると、動作レバー３１は錘４０の作用により上方に回転し、初期位置に復帰する。この間も脱進機構４１により動作レバー３１の回転速度が制限されるので、動作レバー３１は低速で復帰する。
【００２３】
しかし、動作レバー３１が初期位置から下方に回転した状態において、図１０に示すようにリセット球入口２０から球が入ると、球の重量によってリセットレバー２３は図１１の位置まで回転し、リセットレバー２３と一体に形成されたカム５１がストッパ１５を押し上げる。するとガイドギア３０はフリーな状態となり、錘４０や錘部５３の重量によりガイドギア３０は動作レバー３１とともに速やかに図１２に示す初期位置に復帰する。この際にガイドギア３０は時計方向に約１２０度回転することとなる。すなわち、球が動作球入口１７に入ると、動作レバー３１が下降したのち復帰するまでの一定時間、入賞口６０を開くが、その間にリセット球入口２０から球が入ると動作レバー３１は速やかに復帰する動作となる。入賞口６０に入った球をリセット球入口２０に導く構造とすれば、開いた入賞口６０に球が入賞すると、直ちに入賞口６０を閉じる動作を行わせ得ることができる。
【００２４】
上記したように、この時限出力機構は球の重量のみによって動作レバー３１の下方への回転運動と、初期位置への復帰運動を行わせることができる。また復帰のタイミングはリセット球入口２０への球の流入によって決定されるので、入賞口６０が開いている時間は様々に変化することとなり、遊技者の興趣を高めることができる。
【００２５】
なお、図１３の例では動作レバー３１の動きをそのまま入賞口６０に出力するようにしたが、入賞口６０の開閉抵抗が大きいと球の重量だけでは円滑な動作が行えなくなる可能性がある。その場合には動作レバー３１の動きをセンサで検出し、入賞口６０に出力するようにしてもよい。また出力先は必ずしも入賞口６０に限定されるものではなく、他の役物に出力させることも可能である。
【符号の説明】
【００２６】
１０  中空ケース
１１  前部ケース
１２  後部ケース
１３  前面板
１４  開口
１５  ストッパ
１６  ロッド
１７  動作球入口
１８  動作球出口
１９  突壁
２０  リセット球入口
２１  リセット球出口
２２  突壁
２３  リセットレバー
３０  ガイドギア
３１  動作レバー
３２  水平軸
３３  外歯
３４  内歯
３５  腕
３６  遊星ギア
３７  突片
３８  円弧溝
３９  扇状部
４０  錘
４１  脱進機構
４２  小歯車
４３  アンクル
４４  がんぎ車
４５  中心ギア
４６  爪
５０  歯
５１  カム
５２  受け部
５３  錘部
６０  入賞口
【図１】
2020174925.tif 000003
【図２】
2020174925.tif 000004
【図３】
2020174925.tif 000005
【図４】
2020174925.tif 000006
【図５】
2020174925.tif 000007
【図６】
2020174925.tif 000008
【図７】
2020174925.tif 000009
【図８】
2020174925.tif 000010
【図９】
2020174925.tif 000011
【図１０】
2020174925.tif 000012
【図１１】
2020174925.tif 000013
【図１２】
2020174925.tif 000014
【図１３】
2020174925.tif 000015